【事件の表示】
　特願２００４−　２３５９０「画像形成システム及び画像処理装置」拒絶査定不服審判事件〔平成１７年　８月１１日出願公開、特開２００５−２１２３６０〕について、次のとおり審決する。
【結　論】
　本件審判の請求は、成り立たない。
【理　由】
第１　手続の経緯
　本願は、平成１６年１月３０日の出願であって、平成２１年３月９日付け及び同年６月２２日付けで手続補正がなされ、同年７月１７日付けで拒絶査定がなされ、これに対して、同年１０月２８日付けで拒絶査定不服審判の請求がなされ、その請求と同時に手続補正がなされ、当審において、平成２３年２月８日付けで拒絶の理由（以下「当審拒絶理由」という。）の通知がなされ、同年４月１８日付けで手続補正がなされたものである。
　なお、審判官と請求人代理人とは平成２３年５月１３日及び同年５月１８日に電話応対を行った。
　
第２　本願発明
　本願の請求項１ないし１４に係る発明は、平成２３年４月１８日付けの手続補正により補正された特許請求の範囲の請求項１ないし１４に記載された事項により特定されるものであるところ、平成２３年４月１８日付けの手続補正により補正された明細書、特許請求の範囲及び図面の記載からみて、その請求項１の「前記特色の記録剤を前記基本色の付与量と等量付与する」及び「前記基本色により形成される前記特色」の記載は、それぞれ、「前記特色の記録剤を前記基本色の記録剤の付与量を合算した量と等量付与する」及び「前記基本色の記録剤により形成される前記特色」の誤記である（このことは、平成２３年５月１８日の電話応対において確認されている。）と認められるので、本願の請求項１に係る発明（以下「本願発明」という。）は、その誤記を訂正した次のとおりのものと認める（下線は審決で付した。以下同じ。）。
　
「シアン、マゼンタ、イエローの３つの基本色の記録剤とグリーンおよびレッドのうちの少なくとも１つの特色の記録剤とを含む複数色の記録剤を付与するための付与手段を用いて記録媒体上の画素領域に記録剤を付与して画素を形成するための画像形成システムであって、
　前記特色の記録剤を前記基本色の
記録剤の
を合算した量
の記録剤
　１画素に対応する入力画像データを、前記複数色の記録剤に対応した複数色の階調データに変換可能な変換手段と、
　前記変換手段により得られた複数色の階調データそれぞれに基づいて、前記複数色の記録剤それぞれの１画素領域に対する付与量を決定するための決定手段とを備え、前記決定手段により決定可能な前記少なくとも１つの特色の記録剤の１画素領域に対する最大付与量は、前記決定手段により決定可能な前記３つの基本色の記録剤それぞれの１画素領域に対する最大付与量よりも多いことを特徴とする画像形成システム。」
　
第３　引用刊行物及び引用発明
　当審拒絶理由に引用された、本願の出願前に頒布された刊行物である特開平６−２１８９９０号公報（以下「引用例」という。）には、次の事項が図とともに記載されている。
　
１　「【特許請求の範囲】
…略…
【請求項３】  
複数のプリントヘッドをプリント媒体に対し所定方向に走査することにより画像形成を行う画像出力装置において
プリントヘッド毎に設けられ、色を表現するための変換データを格納する手段と
前記画像形成に際して用いられる色に応じて対応するプリントヘッド用の前記格納手段の変換データを切換える変換データ切換え手段と
複数のプリントヘッドを搭載可能で、前記走査を行わせるためのキャリッジと
を具え、前記変換データ切換え手段は、前記キャリッジに搭載されているプリントヘッドのプリント色に応じて、前記変換データの切換えを行う
画像出力装置
…（略）…
【請求項５】  
前記プリントヘッドは
インクを吐出するインクジェットプリントヘッドである
　
２　「【発明の詳細な説明】
【０００１】
【産業上の利用分野】本発明は、
画像データの供給を受けてプリント媒体上にカラー画像を出力する画像出力装置
プリント媒体に対して所定方向にプリントヘッドを走査しつつ画像出力を行う所謂シリアルスキャンタイプの画像出力装置
【０００２】
【背景技術】
一般に、この種の画像出力装置では、減法混色系の三原色であるシアン（Ｃ），マゼンタ（Ｍ）およびイエロー（Ｙ）の３色、または黒を鮮明に再現するためこれらにブラック（ＢＫ）を加えた４色のプリント剤（カラートナーやカラーインク等）を用いてプリントを行う場合が多い
【０００３】また、画像出力装置では、これらＣ，Ｍ，Ｙ，ＢＫ以外の色（金属色やコバルトブルーなど、以下特色と称する）のプリント剤の使用が望まれることもある。これは、Ｃ，Ｍ，Ｙ，ＢＫでは色表現できない色を出力画像に必要とされる場合（特に
ポスター等
ではデザイナが作成したデザインを忠実に再現することが強く要望されるのでそのような場合が多い）
等に行われうる
【０００４】
一方、プリント濃度の向上
が望まれる場合も多くなってきている
【０００５】また、画像によってはプリント色のすべては必要とされない場合もある。
【０００６】
【発明が解決しようとする課題】
このように、画像出力装置の普及やこれを利用する分野の広がりにつれて、画像出力装置に対する要求も多様化してきており、これらに細かく対応でき、かつスループットの低下も生じない画像出力装置を提供することが強く要望される
　
３　「【００１１】
【作用】本発明によれば、
所望の色調のインク用のヘッドを適宜の数搭載可能となし、搭載しているヘッドの色調に応じて、色調を再現するための変換データを展開するテーブルの内容を書換え
るようにしたことにより、用いる色調の変更や濃度の変更あるいは濃度の確保に柔軟に対応でき、かつ
高濃度のプリントを効率よく行ってスループットを向上することができる
　
４　「【００２４】次に、本装置の制御系の構成を説明する。図３および図４は実施例の
インクジェットプリンタ
【００２５】ホストコンピュータＨからインターフェース（ここではＧＰＩＢ）を介し、コントロールボード１０２に印刷用画像データを送るほか、デザイナが選択した色を良好に再現するためのＹ，Ｍ，Ｃあるいは特色の混合比率を定めるカラーパレットデータ等を送る。これについては本出願人の出願になる特願平４−２０３９７３号等に開示されたものを用いることができる。
【００２６】画像データを送る装置は特に限定されず、かつ、転送形態としてはネットワークによる転送、マグネットテープ等を介するオフラインでも良い。コントロールボード１０２は、ＣＰＵ１０２Ａ，各種プログラムを格納したＲＯＭ１０２Ｂ，各種レジスタ領域や作業用領域を有するＲＡＭ１０２Ｃおよび図５〜図７その他で示す各部からなり装置全体の制御を行う。１０３はオペレータがプリンタＰに対して所要の指示を与えるための操作部およびオペレータに対してのメッセージ等を表示するための表示器を有する操作・表示部である。１０４はプリント対象である布等のプリント媒体を搬送するためのモータ等からなる布搬送機である。１０５は図９に示した各種モータ（末尾に“Ｍ”を付してある）や各種ソレノイド（“ＳＯＬ”で示す）を駆動するためのドライバユニット入出力部である。１０７は各ヘッドに駆動信号を供給するとともに、各ヘッドに係る情報（装着の有無やそのヘッドの提示する色等の情報）を受容してコントロールボード１０２に供給するための中継ボードである。当該情報はホストコンピュータＨに転送されて用いる色のカラーパレットデータの転送を要求するのに供されるほか、キャリッジ２４，２４′へのヘッドの搭載範囲の認識ないしは走査範囲の設定等に用いられる。また、１１１はキャリッジ２４，２４′を走査させるためのモータ等の駆動部である。
【００２７】さて、
ホストコンピュータＨから印刷する画像データの情報を受けると、その画像データは
画像メモリ５０５に蓄積され
画像メモリは１２４Ｍｂｙｔｅの容量を有し、Ａ１サイズを８ビットのパレットデータ構成したものである。つまり、１画素につき８ビットが割り当てられている
【００２８】説明が前後するが、実施例の印刷装置に接続されるホストコンピュータは、画像データをラスタイメージとして転送してくる。各プリントヘッドは縦方向に複数のインク吐出ノズルが並んでいるので、画像データの並びをプリントヘッドに合致するよう変換しなければならない。このデータ変換をラスタ＠ＢＪ変換コントローラ５０６で行う。そして、このラスタ＠ＢＪ変換コントローラ５０６で変換されたデータは、画像データを変倍するための次の拡大コントローラ５０７の拡大機能を通しパレット変換コントローラ５０８に供給される。なお、拡大コントローラ５０７までのデータは
ホストコンピュータから送られてきたデータ
８ビットのパレット信号
パレットデータ（８ビット）は各プリントヘッドに対する処理部
に共通に渡され、処理される
【００２９】なお、図５〜図７では、イエロー，マゼンタ，シアン，ブラックの他に特色Ｓ１〜Ｓ４をプリントするヘッドが備えられているものとして説明する。
【００３０】さて、
パレット変換コントローラ５０８はホストコンピュータＨから入力されてきたパレットデータおよび対応する色の変換テーブルを変換テーブルメモリ５０９に供給する
【００３１】８ビットのパレットの場合、その再現可能な色種は０〜２５５までの２５６通りであり、適宜のテーブルが各色毎に対応するテーブルメモリ５０９に展開される。
【００３２】
８ビットのパレットの場合、その再現可能な色種は０〜２５５までの２５６通りであり、
０が入力された場合      薄い灰色の印刷
１が入力された場合      特色１のベタ印刷
２が入力された場合      特色２のベタ印刷
３が入力された場合      シアンとマゼンタの混色でブルー系の色の印刷
４が入力された場合      シアンのベタ印刷
５が入力された場合      マゼンタとイエローの混色でレッド系の色の印刷
２５４が入力された場合  イエローのベタ印刷
２５５が入力された場合  何も印刷しない
という処理を行う
【００３３】具体的な回路構成としては、
パレット変換テーブルメモリ５０９は、パレットデータに対するアドレス位置に変換データを書き込んでおくことでその機能を果す。つまり、実際にパレットデータがアドレスとして供給される場合には読出しモードでメモリをアクセスする
【００３４】
ＨＳ変換コントローラ５１０およびＨＳ変換テーブルメモリ５１１は、
各ヘッドの各吐出口に対応する印刷濃度のバラツキの補正を行う
【００３５】次の
γ変換コントローラ５１２およびγ変換テーブルメモリ５１３は色毎に、全体の濃度を濃くしたり薄くしたりするためのテーブル変換である
０入力には０出力
１００入力には１００出力
２１０入力には２１０出力
２５５出力には２５５出力
ということである。
【００３６】次段の
２値化コントローラ５１４は、疑似階調機能を持つものであり、８ビットの階調データを入力し、２値化された１ビットの疑似階調データを出力する
単位面積あたりのドットの数で階調表現する
【００３７】ここで
２値化されたデータは
各プリントヘッド駆動用として使用される
【００３８】２値化された信号Ｃはシーケンシャルマルチスキャンジェネレータ（以下ＳＭＳジェネレータ）５２２に向けて出力されるが、パターンジェネレータ５１７，５１８により装置単体のテスト印刷を実施する場合もあるので、当該データは、セレクタ５１９に供給される。勿論、この切り換えはコントロールボード１０２のＣＰＵによって制御されており、操作者が操作部１０３（図３参照）に対して所定の操作を行った場合には、テスト印字をすべく２値パターンコントローラ５１７からのデータを選択する。従って、通常は、２値コントローラ５１４（つなぎメモリ５１６）からのデータを選択するようになっている。５２０はセレクタ５２０とＳＭＳジェネレータ５２２との間に介挿したロゴ入力部であり、捺染の場合布の端部にメーカ，デザイナのブランド等のロゴマークを入れることが多いので、これに対応したものである。その構成は例えばロゴデータを格納するメモリや、プリント位置等を管理するコントローラ等からなるものとすることができる。
【００３９】なお、ＳＭＳジェネレータ５２２は、ノズル毎の吐出量変化による画像の濃度ムラを防止するものである。マルチスキャンは例えば特願平４−７９８５８号として提案されている。マルチスキャンを行って、すなわち１画素に対して複数の吐出口からインク吐出を行うようにして画質を優先するか、あるいはそのようなマルチスキャンを行わずに高速性を優先するかは、適宜の入力手段、例えば操作表示部１０３やホストコンピュータＨで指定することができる。
【００４０】つなぎメモリ５２４は、ヘッドの物理的な位置、すなわち図２における上下プリント部間の位置や、各ヘッド間の位置の補正をするバッファメモリであり、画像データを一旦ここに入力し、ヘッドの物理的な位置に応じたタイミングで出力する。従って、このつなぎメモリ５２４は各プリント色毎にその容量は異なる。
【００４１】以上のようなデータ処理を実施した後、ヘッド中継ボード１０７を介しヘッドにデータが送られる。」
　
５　「【００４４】捺染の場合、印刷の基本色であるシアン，マゼンタ，イエロー，ブラックの４原色の他に、これらの混色で表現しにくい色を特色という形で追加する。例えば、鮮やかなコバルトブルーとか、金色，銀色等である。
どの色を特色として追加するかはデザイン原画が要求するところによるので、印刷柄によりその都度特色が変わるといえる
情報を入力するようにしてもよい。」
　
６　「【００５５】（第２実施例）次に、特にプリント濃度の向上に着目した実施例について説明する。本実施例においても上述した第１実施例と同様の装置構成，処理手順等を採用できるが、特に本実施例は布帛にプリントを行う場合について所望のプリント濃度を確保するのに好適な実施例である。
【００５６】図１２は布へのインク打ち込み量と染色濃度の関係を示す。この図において、横軸はインク打ち込み量であり、単位面積当たりの最大打ち込み量を１００とした値である。縦軸は、布に印刷後、発色処理，洗浄工程を終えた後の染色物の反射率Ｒの関数であり、
【００５７】
【数１】Ｋ／Ｓ＝（１−Ｒ）2 ／２Ｒ
で表されるＫ／Ｓ（ケーバーエス）値（Ｋ：吸収係数、Ｓ：散乱係数）と呼ばれる視覚での染色濃度を定量化したものである。
【００５８】同図では、シアンの最大値を１００とし、他の値を正規化して表現しており、値が大きいほど濃いといえる。そして同図では、標準色であるイエロー，マゼンタ，シアン，ブラックと特色であるブルーの計５色の特性を示している。
【００５９】この図から明らかなように、同じ打ち込み量をもってもイエロー，マゼンタ，シアンに比べブラックと特色であるブルーは約半分の濃度しか得られないことがわかる。
【００６０】しかるに、水着やスキーウエア等のための捺染では、大変濃い印刷が要求されることがある。このような場合において、デザイン上濃度を確保しにくいブラックやブルーなどの特色の使用が要求される場合、前述したようにそのような色の染料濃度を高めること、またはインク滴の大きさを制御すること、または同一印刷面を複数回スキャンして重ね印刷を行うことによって、濃度の向上を図ることも考えられるが、これでは吐出に支障をきたし、またはすじ発生によるプリント品位を低下させ、または印刷速度の低下は免れない。
【００６１】そこで本実施例では、図１３に示すように、
キャリッジ上
に、濃く印刷したい色に対応したヘッドを複数個、すなわちブラックとブルーとをそれぞれ２個搭載
【００６２】この場合、図５〜図７に示した画像処理系では以下のように対応するようにすればよい。すなわち、図６のパレット変換テーブル５０８について、Ｃ，Ｍ，Ｙ，Ｋ変換テーブルはそのままとし、Ｓ１変換テーブルをＫ変換テーブルに、Ｓ２，Ｓ３の変換テーブルをＢＬ（ブルー）変換テーブルに、それぞれ置換えるとともに、Ｓ４変換テーブルは、“００”をセットして出力が生じないようにすればよい。また次段以降のＨＳ変換テーブル，γ変換テーブルについてもそれぞれ同様に置換えを行えばよい。
【００６３】以上の処理を施すことにより、図６の２値出力５１６は、Ｃ，Ｍ，Ｙ，Ｋ，Ｋ，ＢＬ，ＢＬとなる。ここで、
ブラックとブルーだけが２倍の濃度になり
【００６４】図１４は、図１２に対し、ブラックとブルーヘッドを２個搭載した場合の濃度を表わす。ブラック，ブルーが他の３色と同程度の濃度を表現できることが明らかにわかる。
【００６５】このように特色エリアに濃度アップを図りたいヘッドを配置することによって、その色の濃度向上を図ることができる。なお、本例の場合プリントヘッドの順番すなわち混色時の順番は変更していないので色あいの変化はない。
【００６６】本例においても、第１の実施例と同様、図１１に示したような処理手順を用いてキャリッジに搭載しているヘッドに応じた変換テーブルの内容等の設定を行うことができる。
【００６７】すなわちまず、ステップＳ１では、キャリッジに搭載しているヘッドについての認識、すなわちその色や個数ないしは搭載範囲の認識を行い、このような認識結果に基づいて、コントロールボード１０２ではホストコンピュータＨに所要の通知を行い、これに応じて送信されてくる変換用データを変換テーブル５０９，５１１，５１３に展開する処理を行えばよい（ステップＳ３）。さらにヘッドの搭載個数ないし範囲に応じて、図９，図１０について説明したように空吐出，ワイピング，印刷領域での走査範囲を設定する処理を行う場合にはステップＳ５の処理を実行し、行わない場合にはこれを削除またはスキップすればよい。
【００６８】なお、本実施例においては所望の濃度を得るべくブラックとブルーについてプリントヘッドを２個搭載した場合について説明したが、
デザインに応じて、また濃度に応じて適宜の色のヘッドを適宜の数搭載でき、さらにこれに応じて画像処理系に適宜の設定を行えばよいのは勿論である
　
７　「【００７２】そこで、プリンタ，複写機，ファクシミリ等の機能を有する記録装置、あるいは
コンピュータ
の出力機器として用いられる
インクジェット式の記録装置
インクを吐出して記録を行うシステム
すなわち上記実施例
２で述べたようなシステム
　
８　「【０１３５】さらに、インクジェット捺染用布帛に付与される捺染インクは、布帛上に付与した状態では単に付着しているに過ぎないので、引き続き繊維への染料等インク中の色素の定着工程を施すのが好ましい。このような定着工程は、従来公知の方法でよく、例えば、スチーミング法、ＨＴスチーミング法、サーモフィックス法、あらかじめアルカリ処理した布帛を用いない場合は、アルカリパッドスチーム法、アルカリブロッチスチーム法、アルカリショック法、アルカリコールドフィックス法等が挙げられる。また、定着工程は、染料によって反応過程を含むものと含まないものとがあり、後者の例としては繊維に含浸させて物理的に離脱しないようなものがある。また、
インクとしては
染料に限られず顔料を含むもの
…略…
【０１３８】なお、
プリント媒体としては、布帛，壁布，刺しゅうに用いられる糸、壁紙、紙、ＯＨＰ用フィルム等が挙げられ
　
９　上記６の「図１３に示すように、キャリッジ上のヘッド搭載エリアに、濃く印刷したい色に対応したヘッドを複数個、すなわちブラックとブルーとをそれぞれ２個搭載している。」（【００６１】参照。）及び「この場合、図５〜図７に示した画像処理系では以下のように対応するようにすればよい。すなわち、図６のパレット変換テーブル５０８について、Ｃ，Ｍ，Ｙ，Ｋ変換テーブルはそのままとし、Ｓ１変換テーブルをＫ変換テーブルに、Ｓ２，Ｓ３の変換テーブルをＢＬ（ブルー）変換テーブルに、それぞれ置換えるとともに、Ｓ４変換テーブルは、“００”をセットして出力が生じないようにすればよい。（【００６２】参照。）」との記載に照らせば、図１３中の右側のＣは、本来空白であるべき誤記であることが明らかである。
　したがって、図１３から、
キャリッジには、シアン（Ｃ）、マゼンタ（Ｍ）及びイエロー（Ｙ）のインク用のプリントヘッドがそれぞれ１個ずつ、ブラック（ＢＫ）及び特色ブルー（ＢＬ）のインク用のプリントヘッドがそれぞれ２個ずつ搭載されている
　
１０　上記１ないし９から、引用例には、次の発明（以下「引用発明」という。）が記載されていると認められる。
　
「ホストコンピュータと、該ホストコンピュータから画像データの供給を受け、染料又は顔料を含むインクを吐出する複数のプリントヘッドをプリント媒体に対し所定方向に走査することにより画像形成を行う画像出力装置とからなるシステムであって、
　前記画像データは、１画素につき８ビットが割り当てられ、各プリントヘッドに対する処理部に共通に渡され、処理されるパレットデータであって、その再現可能な色種は０〜２５５までの２５６通りであり、
０が入力された場合      薄い灰色の印刷
１が入力された場合      特色１のベタ印刷
２が入力された場合      特色２のベタ印刷
３が入力された場合      シアンとマゼンタの混色でブルー系の色の印刷
４が入力された場合      シアンのベタ印刷
５が入力された場合      マゼンタとイエローの混色でレッド系の色の印刷
２５４が入力された場合  イエローのベタ印刷
２５５が入力された場合  何も印刷しない
という処理が行われるものであり、
　減法混色系の三原色であるシアン（Ｃ），マゼンタ（Ｍ）及びイエロー（Ｙ）の３色、または黒を鮮明に再現するためこれらにブラック（ＢＫ）を加えた４色のカラーインクを用いてプリントを行う場合が多く、また、ポスター等ではデザイナが作成したデザインを忠実に再現することが強く要望されるのでそのような場合等に、これらＣ，Ｍ，Ｙ，ＢＫ以外の色である特色のインクの使用が望まれることもある一方、プリント濃度の向上が望まれる場合も多くなってきているので、これらに対応でき、スループットの低下を生じさせることなく前記特色のプリント濃度を向上するために、
　前記画像出力装置に、
　　プリントヘッド毎に設けられ、色を表現するための変換データを格納する格納手段と、
　　前記画像形成に際して用いられる色に応じて対応するプリントヘッド用の前記格納手段の変換データを切換える変換データ切換え手段と、
　　前記減法混色系の三原色であるシアン、マゼンタ及びイエローのインク用のプリントヘッドをそれぞれ１個ずつ、前記特色のインク用のプリントヘッドを２個少なくとも搭載した、前記走査を行わせるためのキャリッジとを具え、
　デザイン原画が要求する色に応じて適宜の色のヘッドを、デザイン原画が要求する濃度に応じて適宜の数、印刷柄によりその都度変えて搭載でき、さらにこれに応じて画像処理系に適宜の設定を行えるものとしたシステムにおいて、
　前記処理部は、
　　ホストコンピュータから入力されてきたパレットデータ及び対応する色の変換テーブルを前記格納手段である変換テーブルメモリに供給し、パレットデータがアドレスとして供給される場合には読出しモードで前記変換テーブルメモリをアクセスし、該パレットデータに対するアドレス位置に書き込まれた変換データを読み出す前記変換データ切換え手段であるパレット変換コントローラと、
　　読み出された前記変換データに対して、各プリントヘッドの各吐出口に対応する印刷濃度のバラツキの補正を行うＨＳ変換コントローラ及びＨＳ変換テーブルメモリと、
　　ＨＳ変換された前記変換データに対して、色毎に、全体の濃度を濃くしたり薄くしたりするためのテーブル変換をするγ変換コントローラ及びγ変換テーブルメモリと、
　　単位面積あたりのドットの数で階調表現する疑似階調機能を持ち、γ変換された前記変換データである８ビットの階調データを入力し、各プリントヘッド駆動用として使用される２値化された１ビットの疑似階調データを出力する２値化コントローラとを含んでいるシステム。」
　
第４　対比
　本願発明と引用発明とを対比する。
１　引用発明の「インク」、「減法混色系の三原色であるシアン（Ｃ），マゼンタ（Ｍ）及びイエロー（Ｙ）の３色」、「特色」、「吐出」、「プリントヘッド」、「プリント媒体」、「『ホストコンピュータ』から『画像出力装置』に『供給』される『画像データ』である『パレットデータ』」及び「『ホストコンピュータ』と『画像形成を行う画像出力装置とからなるシステム』」は、それぞれ、本願発明の「記録剤」、「シアン、マゼンタ、イエローの３つの基本色」、「特色」、「付与」、「付与手段」、「記録媒体」、「入力画像データ」及び「画像形成システム」に相当する。
　
２　引用発明の画像出力装置は、「シアン、マゼンタ、イエローの３つの基本色（シアン、マゼンタ及びイエロー）」の「記録剤（インク）」用の「付与手段（プリントヘッド）」をそれぞれ１個ずつ、「特色」の「記録剤」用の「付与手段」を２個少なくとも搭載したキャリッジを具えたものであるから、引用発明の「付与手段」と本願発明の「シアン、マゼンタ、イエローの３つの基本色の記録剤とグリーンおよびレッドのうちの少なくとも１つの特色の記録剤とを含む複数色の記録剤を付与するための付与手段」とは、「シアン、マゼンタ、イエローの３つの基本色の記録剤と少なくとも１つの特色の記録剤とを含む複数色の記録剤を付与するための」ものである点で一致する。
　
３　引用発明において、「画像形成システム（システム）」は、ホストコンピュータと、該ホストコンピュータから画像データの供給を受け、染料又は顔料を含む「記録剤（インク）」を「付与（吐出）」する複数の「付与手段（プリントヘッド）」を「記録媒体（プリント媒体）」に対し所定方向に走査することにより画像形成を行う画像出力装置とからなるものであり、前記画像データは、１画素につき８ビットが割り当てられたパレットデータであるから、引用発明の「画像形成システム」と本願発明の「画像形成システム」とは、「付与手段を用いて記録媒体上の画素領域に記録剤を付与して画素を形成するための」ものである点で一致する。
　
４　引用発明において、「入力画像データ（パレットデータ）」は、１画素につき８ビットが割り当てられたものであり、処理部は、ホストコンピュータから入力されてきた「入力画像データ」及び対応する色の変換テーブルを前記格納手段である変換テーブルメモリに供給し、「入力画像データ」がアドレスとして供給される場合には読出しモードで前記変換テーブルメモリをアクセスし、該「入力画像データ」に対するアドレス位置に書き込まれた変換データを読み出す前記変換データ切換え手段であるパレット変換コントローラと、読み出された前記変換データに対して、各プリントヘッドの各吐出口に対応する印刷濃度のバラツキの補正を行うＨＳ変換コントローラ及びＨＳ変換テーブルメモリと、ＨＳ変換された前記変換データに対して、色毎に、全体の濃度を濃くしたり薄くしたりするためのテーブル変換をするγ変換コントローラ及びγ変換テーブルメモリと、単位面積あたりのドットの数で階調表現する疑似階調機能を持ち、γ変換された前記変換データである８ビットの階調データを入力し、各プリントヘッド駆動用として使用される２値化された１ビットの疑似階調データを出力する２値化コントローラとを含むものであるから、引用発明の「変換テーブルメモリ及びパレット変換コントローラ」及び「２値化コントローラ」は、それぞれ、本願発明の「１画素に対応する入力画像データを、前記複数色の記録剤に対応した複数色の階調データに変換可能な変換手段」及び「前記変換手段により得られた複数色の階調データそれぞれに基づいて、前記複数色の記録剤それぞれの１画素領域に対する付与量を決定するための決定手段」に相当する。
　
５　引用発明の「画像形成システム（システム）」は、スループットの低下を生じさせることなく特色のプリント濃度を向上するために、画像出力装置を、プリントヘッド毎に設けられ、色を表現するための変換データを格納する格納手段と、画像形成に際して用いられる色に応じて対応するプリントヘッド用の前記格納手段の変換データを切換える変換データ切換え手段と、減法混色系の三原色であるシアン、マゼンタ及びイエローのインク用のプリントヘッドをそれぞれ１個ずつ、前記特色のインク用のプリントヘッドを２個少なくとも搭載した、前記走査を行わせるためのキャリッジとを具えたものであることと、上記４とから、引用発明の「画像形成システム」と本願発明の「画像形成システム」とは、「前記決定手段により決定可能な前記少なくとも１つの特色の記録剤の１画素領域に対する最大付与量は、前記決定手段により決定可能な前記３つの基本色の記録剤それぞれの１画素領域に対する最大付与量よりも多い」点で一致するといえる。
　
６　上記１ないし５から、本願発明と引用発明とは、
「シアン、マゼンタ、イエローの３つの基本色の記録剤と少なくとも１つの特色の記録剤とを含む複数色の記録剤を付与するための付与手段を用いて記録媒体上の画素領域に記録剤を付与して画素を形成するための画像形成システムであって、
　１画素に対応する入力画像データを、前記複数色の記録剤に対応した複数色の階調データに変換可能な変換手段と、
　前記変換手段により得られた複数色の階調データそれぞれに基づいて、前記複数色の記録剤それぞれの１画素領域に対する付与量を決定するための決定手段とを備え、前記決定手段により決定可能な前記少なくとも１つの特色の記録剤の１画素領域に対する最大付与量は、前記決定手段により決定可能な前記３つの基本色の記録剤それぞれの１画素領域に対する最大付与量よりも多い画像形成システム。」である点で一致し、次の点で相違する。
　
相違点：
　本願発明では、前記付与手段が付与する複数色の記録剤に、「前記特色の記録剤を前記基本色の記録剤の付与量を合算した量と等量付与する場合に、前記特色の記録剤により形成される前記特色は、前記基本色の記録剤により形成される前記特色よりも高い彩度の色を再現可能であるグリーンの特色の記録剤」及び「前記特色の記録剤を前記基本色の記録剤の付与量を合算した量と等量付与する場合に、前記特色の記録剤により形成される前記特色は、前記基本色の記録剤により形成される前記特色よりも高い彩度の色を再現可能であるレッドの特色の記録剤」のうちの少なくとも１つが含まれているのに対して、
　引用発明では、前記付与手段が付与する複数色の記録剤にそれらの記録剤はいずれも含まれていない点。
　
第５　判断
　上記相違点について検討する。
１　サインやディスプレイ等の印刷物向けの、少なくとも、イエロー、マゼンタ及びシアンの３色インク、あるいはこれにブラックを加えた４色インクに、これら３色又は４色以外の特色インクを加えたカラーインクジェット記録用インクセットの分野において、前記特色インクの一つとして、イエローインクのＩＹ重量とマゼンタインクのＪ１Ｍ重量とを記録媒体上で混合して得られる混色部分の色相角Ｈ°（Ｙ＋Ｍ）の彩度Ｃ＊（Ｙ＋Ｍ）を（ＩＹ＋Ｊ１Ｍ）重量未満の使用量で得られる特色インクを採用したインクセットは、本願の出願前に周知である（以下「周知技術」という。例．国際公開第０２／１００９５９号（１頁６〜１８行、３頁１〜２２行及び１３頁１１〜１５行参照。）、特開２００３−１６０７５０号公報（【０００１】〜【０００２】、【００１３】〜【００１５】及び【００４０】参照。））。
　
２　ポスター等のサインやディスプレイ用の印刷物に彩度が高く濃度が濃い赤色が用いられることがあることは本願の出願前に一般常識である。
　
３　引用発明は、デザイン原画が要求する色に応じて適宜の色のヘッドを、デザイン原画が要求する濃度に応じて適宜の数、印刷柄によりその都度変えて搭載でき、さらにこれに応じて画像処理系に適宜の設定を行えるものであるところ、ポスター等のサインやディスプレイ用の印刷物のデザイン原画を彩度が高く濃度が濃い赤色を用いてデザイナが作成したとき、そのデザイン原画を、引用発明の「画像形成システム」を用いて忠実に再現するために、引用発明において、キャリッジに搭載する、シアン（Ｃ），マゼンタ（Ｍ）及びイエロー（Ｙ）の３色、または黒を鮮明に再現するためこれらにブラック（ＢＫ）を加えた４色のカラーインク用のプリントヘッド及び特色のインク用の２個のプリントヘッドを、周知技術のインクセットを収容したものとなし、特色のインク用のプリントヘッドは、いずれも「イエローインクのＩＹ重量とマゼンタインクのＪ１Ｍ重量とを記録媒体上で混合して得られる混色部分の色相角Ｈ°（Ｙ＋Ｍ）の彩度Ｃ＊（Ｙ＋Ｍ）を（ＩＹ＋Ｊ１Ｍ）重量未満の使用量で得られる特色インク」を収容したものとすることは、当業者が周知技術に基づいて容易になし得た程度のことである。
　
４　上記３の「周知技術のインクセットを収容したもの」、「周知技術のインクセット」及び「イエローインクのＩＹ重量とマゼンタインクのＪ１Ｍ重量とを記録媒体上で混合して得られる混色部分の色相角Ｈ°（Ｙ＋Ｍ）の彩度Ｃ＊（Ｙ＋Ｍ）を（ＩＹ＋Ｊ１Ｍ）重量未満の使用量で得られる特色インク」は、それぞれ、本願発明の「付与手段」、「付与手段が付与する複数色の記録剤」及び「前記特色の記録剤を前記基本色の記録剤の付与量を合算した量と等量付与する場合に、前記特色の記録剤により形成される前記特色は、前記基本色の記録剤により形成される前記特色よりも高い彩度の色を再現可能であるレッドの特色の記録剤」に相当するから、上記３からして、引用発明において、前記付与手段が付与する複数色の記録剤に、「前記特色の記録剤を前記基本色の記録剤の付与量を合算した量と等量付与する場合に、前記特色の記録剤により形成される前記特色は、前記基本色の記録剤により形成される前記特色よりも高い彩度の色を再現可能であるレッドの特色の記録剤」が含まれるようになすこと、すなわち、引用発明において、上記相違点に係る本願発明の構成となすことは、当業者が周知技術に基づいて容易になし得た程度のことである。
　
５　効果について
　本願発明の奏する効果は、当業者が、引用発明の奏する効果及び周知技術の奏する効果から予測し得た程度のものである。
　
６　まとめ
　したがって、本願発明は、当業者が、引用例に記載された発明及び周知技術に基づいて容易に発明をすることができたものである。
　
第６　むすび
　本願発明は、上記第５のとおり、当業者が、引用例に記載された発明及び周知技術に基づいて容易に発明をすることができたものであるから、特許法第２９条第２項の規定により特許を受けることができない。
　よって、結論のとおり審決する。